【事件の表示】
　特願２００４−５５４８６２「コンテンツ管理システム用のテンプレート完成」拒絶査定不服審判事件〔平成１６年　６月１０日国際公開、ＷＯ２００４／０４９２２０、平成１８年　３月　９日国内公表、特表２００６−５０８４５０〕について、次のとおり審決する。
【結　論】
　本件審判の請求は、成り立たない。
【理　由】
第１　手続の経緯
　
　本願は、２００３年１１月２６日（パリ条約に基づく優先権主張外国庁受理２００２年１１月２７日、米国）を国際出願日とする出願であって、平成２０年９月４日付けで拒絶査定がなされ、これに対し、同年１２月１６日に拒絶査定不服審判が請求され、平成２１年１月１４日に手続補正がなされ、当審において、平成２３年１２月２１日付けで拒絶理由通知がなされ、平成２４年７月６日に手続補正がなされたものである。
　
第２　本願発明
　
　本願の請求項１に係る発明（以下、「本願発明」という。）は、平成２４年７月６日の手続補正により補正された特許請求の範囲の請求項１に記載された次のとおりのものである。
　
＜本願発明＞
「コンテンツ管理システムにおいて、コンテンツ・アイテムに対してテンプレートを使用する方法であって、前記コンテンツ管理システムがセンタ・コンピュータに構築され、該センタ・コンピュータがネットワークを介してユーザ・コンピュータに接続されている方法において、
　前記センタ・コンピュータのテンプレート提供手段が、複数のコンテンツ・オーサリング・テンプレートをユーザに提供する段階と、
　前記ユーザ・コンピュータの入力手段が、前記コンテンツ・アイテムをコンテンツ・タイプとして類別し、入力する段階と、
　前記センタ・コンピュータの選択手段が、前記コンテンツ・タイプに基づいて、自動的に、前記複数のコンテンツ・オーサリング・テンプレートの中から必要とされるテンプレートの適切な集合を選択する段階と、
　前記センタ・コンピュータの提示手段が、自動的に、前記コンテンツ・アイテムについてユーザに記述させるために前記テンプレートの適切な集合をユーザに提示する段階と、
　前記コンテンツ管理システムの確保手段が、前記コンテンツ・アイテムを発行する際の完成度を確保する段階とから成り、
　前記完成度を確保する段階は、
　前記確保手段の第１の受取り手段が、ユーザから、前記テンプレートの適切な集合における各テンプレートに対するコンテンツを受け取ることと、
　前記確保手段の決定手段が、その受け取ったコンテンツの全ての各構成要素が承認されたか否かを決定することと、
　前記確保手段の禁止手段が、前記コンテンツの全ての各構成要素が承認されるまで前記コンテンツ管理システムにおける発行を禁止することと、
　前記確保手段の第２の受取り手段が、前記コンテンツの全ての各構成要素が承認された後に発行者から発行要求を受け取ることと、
　前記確保手段の発行手段が、前記コンテンツの全ての各構成要素及び対応する前記テンプレートの適切な集合から得られた情報を、前記発行者による更なる干渉なしに、自動的に発行することとを含む方法。」
　
第３　引用例
　
１．特開２００２−２４４９６４号公報
　
　平成２３年１２月２１日付け拒絶理由通知において引用された特開２００２−２４４９６４号公報（公開日：平成１４年８月３０日。以下、「引用例１」という。）には、次の事項が記載されている。
　
（１）「【００１８】情報供給システム１は、所在地を有する店舗や駅、または場所を指定して行われる催し物など（以下「情報源」）の情報や関連する情報（以下「情報源データ」）を、発信しようとする者（以下「発信者」）に登録させ、これを顧客や利用者、参加者など（以下「受給者」）に供給するというサービスをインターネットを介して行うために、１台以上のコンピュータから構成されるコンピュータシステムである。
【００１９】情報供給システム１（適宜「システム」という）は、制御部１０１、テンプレートデータベース１０２、発信者データベース１０３、受給者データベース１０４、情報源データベース１０５を備える。」
　
（２）「【００２１】テンプレートデータベース１０２には、Ｗｅｂブラウザ（ブラウザと略記する）での情報源データの配置などを決める出力画面テンプレートや、情報源データをシステムに登録する際の入力ページを構成するための入力画面テンプレートとが蓄積される。なお、利便性を向上すべく、予めいくつかの入力画面テンプレートおよび出力画面テンプレートからなるテンプレートセットとそのＩＤ（セットＩＤ）が情報源の種類（例えば業種）などに応じて定義されている。
【００２２】情報供給システム１は、予め登録された発信者が指定した入力画面テンプレートにより、発信者が使用する発信者のブラウザ２に情報源データの入力ページを表示させて必要十分な情報入力を行わせ、入力された情報源データと発信者が予め指定した出力画面テンプレートとにより情報源のページ（以下「情報源ページ」）を構成して、予め登録された受給者が使用する受給者のブラウザ３に出力する。」
　
（３）「【００５０】次に、情報供給システム１の制御部１０１は、全てのあるいはいくつかのテンプレートセット名を選択肢として含んだテンプレートセットの選択ぺージを送信して表示させ、それぞれの要否を設定させる（Ｓ２９）。テンプレートセットの選択結果が発信者のブラウザ２から情報供給システム１へ送信されると（Ｓ３１）、制御部１０１は、必要と設定されたセットＩＤや現在の日付および時間等を、対応する発信者レコードに格納し（Ｓ３３）、発信者のブラウザ２に対し登録完了を通知する。
【００５１】かかるテンプレートセットの選択処理は、情報供給システム１の運転中はいつでも行える。従って、発信者は、現在発信しようとする情報源や、将来発信しようとする情報源の種類に応じて、希望のテンプレートセットを適宜予約しておくことができる。【００５２】次に、図５を参照して、情報源データの登録処理を説明する。情報供給システム１は、アクセスしてきた発信者を予め登録された発信者と認証した後、予約済みのテンプレートセット、すなわち、この発信者の発信者レコードにＩＤが登録されているテンプレートセットを検索し、これに含まれる各入力画面テンプレートの名前等を選択肢とした入力画面テンプレートの選択ページを、発信者のブラウザ２に送信して表示させ、いずれかの入力画面テンプレートを選択するように促す（Ｓ４１）。
【００５３】発信者のブラウザ２から選択結果が情報供給システム１に送信される（Ｓ４３）と、制御部１０１は、選択された入力画面テンプレートをテンプレートデータベース１０２から選択し（Ｓ４５）、このテンプレートで構成した情報源データの入力ページを発信者のブラウザ２に供給し（Ｓ４７）、情報源データを入力させる。」
　
（４）「【００５５】入力された情報源データやサービスの選択結果が情報供給システム１に送信されると（Ｓ４９）、制御部１０１は、情報源データの中の住所を座標変換部１２１に与え、座標変換部１２１がこれを座標に変換して制御部１０１に出力する（Ｓ５１）。制御部１０１は、情報源データ、変換された座標、および必要と設定されたサービスのサービスＩＤや他の設定を、対応する情報源レコードに格納する（Ｓ５３）。」
　
（５）「【００６４】次に、図７および図８を参照して、受給者への情報供給に関する処理を説明する。予め情報供給システム１に登録した受給者のブラウザ３が、いずれかの情報源ページの表示要求を行うと、情報供給システム１は、以下の処理を行う。・・・（中略）・・・
【００６５】制御部１０１は、要求された情報源ページに対応する情報源レコードに格納されたセットＩＤを読み出し、このセットＩＤに対応するテンプレートセットを選択し、このテンプレートセットの出力画面テンプレートによって、当該情報源レコードに格納された情報源データを配置し、要求された情報源ページを構成する。
・・・（中略）・・・
【００６９】そして、制御部１０１は、出力画面テンプレートにより構成した情報源ページに、このサービス呼び出し手続きを設定して受給者のブラウザ３に送信し表示させる（Ｓ７１）。受給者のブラウザ３は、情報源データを、出力画面テンプレートによる配置通りに表示させ、さらに手続きを解釈して、情報源ページに「経路案内」へのリンクボタンを表示する。」
　
　前記（１）〜（５）、及び、関連する図面の記載によれば、引用例１には、次の事項が記載されているといえる（下線は、当審において付与した。）。
　
・前記（１）の「【００１８】
情報供給システム１は、
「情報源データ」）を、
「受給者」）に供給するというサービスをインターネットを介して行う
コンピュータから構成される
　前記（２）の「【００２２】情報供給システム１は、予め登録された
発信者が指定した入力画面テンプレートにより、
発信者のブラウザ２に情報源データの入力ページを表示させて必要十分な情報入力を行わせ、
　引用例１には、「コンピュータから構成された情報供給システム１において、発信者が指定した入力画面テンプレートにより、発信者のブラウザ２に情報源データの入力ページを表示させて必要十分な情報入力を行わせ、当該情報源データを受給者に供給するサービスをインターネットを介して行う方法」が記載されているといえる。
　
・前記（１）の「【００１９】
情報供給システム１
は、
テンプレートデータベース１０２
を備える
　前記（２）の「【００２１】
テンプレートデータベース１０２には、
情報源データの配置などを決める出力画面テンプレートや、情報源データをシステムに登録する際の入力ページを構成するための入力画面テンプレートとが蓄積される。
いくつかの入力画面テンプレートおよび出力画面テンプレートからなるテンプレートセットとそのＩＤ（セットＩＤ）が情報源の種類（例えば業種）などに応じて定義されている
　情報供給システム１は、「テンプレートデータベース１０２に、情報源データの配置などを決める出力画面テンプレートと、情報源データをシステムに登録する際の入力ページを構成するための入力画面テンプレートとを蓄積し、予めいくつかの入力画面テンプレートおよび出力画面テンプレートからなるテンプレートセットとセットＩＤとを情報源の種類（例えば業種）などに応じて定義」するといえる。
　
・上記（３）の「【００５０】次に、情報供給システム１の制御部１０１は、全てのあるいは
いくつかのテンプレートセット名を選択肢として含んだテンプレートセットの選択ぺージを送信して表示させ
テンプレートセットの選択結果が発信者のブラウザ２から情報供給システム１へ送信される
　発信者のブラウザ２は、「いくつかのテンプレートセット名を選択肢として含んだテンプレートセットの選択ぺージを表示し、その選択結果を情報供給システム１へ送信する」といえる。
　
・前記（３）の「【００５０】・・・（中略）・・・
テンプレートセットの選択結果が発信者のブラウザ２から情報供給システム１へ送信されると
必要と設定されたセットＩＤ
を、
格納し
　前記（３）の「【００５２】・・・（中略）・・・情報供給システム１は、アクセスしてきた発信者を予め登録された発信者と認証した後、
予約済みのテンプレートセット、すなわち、この発信者の発信者レコードにＩＤが登録されているテンプレートセットを検索し、これに含まれる各入力画面テンプレートの名前等を選択肢とした入力画面テンプレートの選択ページを、発信者のブラウザ２に送信して表示させ
【００５３】発信者のブラウザ２から選択結果が情報供給システム１に送信される（Ｓ４３）と、制御部１０１は、選択された入力画面テンプレートをテンプレートデータベース１０２から選択し（Ｓ４５）」の記載、
　図５における、
「入力画面テンプレートを選択してください
　○
商店紹介入力
商店紹介変更
商店情報追加
キャンペーン情報追加
　「情報供給システム１」は、「発信者によって選択されたテンプレートセットを検索し、これに含まれる各入力画面テンプレートの名前等を選択肢とした入力画面テンプレートの選択ページを、発信者のブラウザ２に送信して表示させ、その選択肢は、例えば、商店紹介入力、商店紹介変更、商店情報追加、キャンペーン情報追加である」といえる。
　
・上記（３）の「【００５３】
発信者のブラウザ２から選択結果が情報供給システム１に送信される（Ｓ４３）と、制御部１０１は、選択された入力画面テンプレートをテンプレートデータベース１０２から選択し
このテンプレートで構成した情報源データの入力ページを発信者のブラウザ２に供給し（Ｓ４７）、情報源データを入力させる
　情報供給システム１は、「発信者のブラウザ２から選択結果を受信すると、選択された入力画面テンプレートをテンプレートデータベース１０２から選択し、当該入力画面テンプレートで構成した入力ページを発信者のブラウザ２に供給し、情報源データを入力させ」るといえる。
　
・上記（４）の「【００５５】
入力された情報源データ
が情報供給システム１に送信されると
制御部１０１は、情報源データ
を、
格納する
　上記（５）の「【００６４】次に、図７および図８を参照して、受給者への情報供給に関する処理を説明する。予め情報供給システム１に登録した
受給者のブラウザ３が、いずれかの情報源ページの表示要求を行うと、情報供給システム１は、以下の処理を行う
【００６５】制御部１０１は、
要求された情報源ページに対応する情報源レコードに格納されたセットＩＤを読み出し、このセットＩＤに対応するテンプレートセットを選択し、このテンプレートセットの出力画面テンプレートによって、当該情報源レコードに格納された情報源データを配置し、要求された情報源ページを構成する
・・・（中略）・・・
【００６９】そして、制御部１０１は、
出力画面テンプレートにより構成した情報源ページに
受給者のブラウザ３に送信し表示させる
受給者のブラウザ３は、情報源データを、出力画面テンプレートによる配置通りに表示させ、
　情報供給システム１は、「受信した情報源データを情報源レコードに格納し、受給者のブラウザから情報源ページの表示要求を受信すると、選択されたテンプレートセットの出力画面テンプレートにより当該情報源データを配置した情報源ページを受給者のブラウザ３に表示させる」といえる。
　
　したがって、引用例１には、次の発明（以下、「引用発明１」という。）が記載されているといえる。
　
＜引用発明１＞
「コンピュータから構成された情報供給システム１において、発信者が指定した入力画面テンプレートにより、発信者のブラウザ２に情報源データの入力ページを表示させて必要十分な情報入力を行わせ、当該情報源データを受給者に供給するサービスをインターネットを介して行う方法において、
　情報供給システム１は、テンプレートデータベース１０２に、情報源データの配置などを決める出力画面テンプレートと、情報源データをシステムに登録する際の入力ページを構成するための入力画面テンプレートとを蓄積し、予めいくつかの入力画面テンプレートおよび出力画面テンプレートからなるテンプレートセットとセットＩＤとを情報源の種類（例えば業種）などに応じて定義し、
　発信者のブラウザ２は、いくつかのテンプレートセット名を選択肢として含んだテンプレートセットの選択ぺージを表示し、その選択結果を情報供給システム１へ送信し、
　情報供給システム１は、発信者によって選択されたテンプレートセットを検索し、これに含まれる各入力画面テンプレートの名前等を選択肢とした入力画面テンプレートの選択ページを、発信者のブラウザ２に送信して表示させ、その選択肢は、例えば、商店紹介入力、商店紹介変更、商店情報追加、キャンペーン情報追加であり、
　情報供給システム１は、発信者のブラウザ２から選択結果を受信すると、選択された入力画面テンプレートをテンプレートデータベース１０２から選択し、当該入力画面テンプレートで構成した入力ページを発信者のブラウザ２に供給し、情報源データを入力させ、
　情報供給システム１は、受信した情報源データを情報源レコードに格納し、受給者のブラウザから情報源ページの表示要求を受信すると、選択されたテンプレートセットの出力画面テンプレートにより当該情報源データを配置した情報源ページを受給者のブラウザ３に表示させることを含む方法。」
　
２．特開２００２−３２４０６３号公報
　
　平成２３年１２月２１日付け拒絶理由通知において引用された特開２００２−３２４０６３号公報（公開日：平成１４年１１月８日。以下、「引用例２」という。）には、次の事項が記載されている（下線は、当審において付与した。）。
　
（１）「【０００１】
【発明の属する技術分野】
本発明は、ネットワークを介して複数の文書作成者が共同で文書を作成する場合に、その文書の管理および作成状況の管理を行う文書作成管理システム、文書作成管理方法
に関する
　
（２）「【００１８】図１に示す
文書作成管理システムは、文書作成端末２０、文書作成端末２１、作成管理端末３０、文書作成管理サーバ４０および文書公開サーバ８０を備えている。文書作成端末２０、文書作成端末２１、作成管理端末３０、文書作成管理サーバ４０および文書公開サーバ８０は、ネットワーク１０に接続されている。
【００１９】
文書作成端末２０および文書作成端末２１は、文書作成者によって使用され、作成管理端末３０は、管理者によって使用される。
管理者は、
文書の内容確認、調整、承認等を行う者である
　
（３）「【００３５】
文書作成管理サーバ４０は、文書作成端末２０および文書作成端末２１から受信した文書
文書の作成状況を「作成完了」に設定する
【００３６】そして、文書作成管理サーバ４０は、作成状況データベース６０内の作成状況を「作成完了」に設定した時点で、全ての文書の作成状況が「作成完了」に設定されている否かを判断する（ステップＳ８）。即ち、文書作成管理サーバ４０は、各文書作成者が担当する何れかの文書の作成状況を「作成完了」に設定した時点で、全ての文書の作成状況が「作成完了」に設定されている否かを自動的に判断する。また、文書作成管理サーバ４０は、何れかの文書作成端末から文書を受信した時点で、全ての文書の作成状況が「作成完了」に設定されている否かを自動的に判断してもよい。
【００３７】その結果、
全ての文書の作成状況が「作成完了」になっている場合には、文書作成管理サーバ４０は、全ての文書が作成完了となったことを示す作成完了通知を作成管理端末３０に対して電子メールで送信する
【００３８】
管理者は、文書作成管理サーバ４０からの作成完了通知を作成管理端末３０で受信すると
１つの文書に統合するように指示を送信する
【００３９】
文書作成管理サーバ４０は、管理者からの指示に従って
文書を１つの文書に統合する
文書作成管理サーバ４０は、統合した文書を作成管理端末３０に対して送信する
【００４０】
作成管理端末３０は、統合された文書を文書作成管理サーバ４０から受信し、その文書を表示する
管理者は、作成管理端末３０に表示された文書を読み、文書の修正の要否について判断する
　
（４）「【００４５】
管理者は、ステップＳ１２での判断の結果、文書の修正を要しないと判断した場合には、
【００４６】
管理者は、作成管理端末３０から、文書作成管理サーバ４０に対して文書の更新を不可にするように指示する
【００４７】
管理者は、作成管理端末３０から文書作成管理サーバ４０に対して統合した文書を文書公開サーバ８０に対して送信するように指示する（ステップＳ２３）。文書作成管理サーバ４０は、統合した文書を文書公開サーバ８０に対して送信する（ステップＳ２４）。文書公開サーバ８０は、文書作成管理サーバ４０から受信した文書を文書作成の関係者に公開する（ステップＳ２５）
　
（５）「【００４９】・・・（中略）・・・また、作成が完了した文書については、インターネットを通じて、直ちに
一般の読者にも公開する
　
　前記（１）〜（５）によれば、引用例２には、次の発明（以下、「引用発明２」という。）が記載されているといえる。
　
＜引用発明２＞
「ネットワークを介して複数の文書作成者が共同で文書を作成する場合に、その文書の管理および作成状況の管理を行う文書作成管理システムによる文書作成管理方法において、
　文書作成管理システムは、ネットワーク１０に接続された、文書作成者の文書作成端末２０、２１、当該文書の内容確認、調整、承認等を行う管理者の作成管理端末３０、文書作成管理サーバ４０、及び、文書公開サーバ８０を備え、
　文書作成管理サーバ４０は、文書作成者の文書作成端末２０、２１から文書を受信し、当該文書の作成状況を作成完了に設定し、すべての文書の作成状況が作成完了に設定されている場合に、当該文書の内容確認、調整、承認等を行う管理者の作成管理端末に作成完了通知を送信し、
　管理者は、作成完了通知を作成管理端末３０で受信すると、文書作成管理サーバ４０に対して１つの文書に統合する指示を送信し、
　文書作成管理サーバ４０は、管理者からの指示に従って、文書を１つに統合して、統合された文書を作成管理端末３０に送信し、
　作成管理端末３０は、統合された文書を表示し、管理者は、作成管理端末３０に表示された文書を読み、文書の修正の要否について判断し、
　管理者は、文書の修正を要しないと判断した場合に、作成管理端末３０から、文書作成管理サーバ４０に対して文書の更新を不可にするように指示し、統合した文書を文書公開サーバ８０に対して送信するように指示し、
　文書作成管理サーバ４０は、管理者からの指示に従って、統合した文書を文書公開サーバ８０に対して送信し、
　文書公開サーバ８０は、文書作成管理サーバ４０から受信した文書を公開する文書作成管理方法。」
　
第４　対比
　
　次に、本願発明と引用発明１とを対比する。
・引用発明１の「情報供給システム」、「コンピュータ」は、本願発明の「コンテンツ管理システム」、「センタ・コンピュータ」に相当する。
　また、引用発明１の「情報源データ」、「入力画面テンプレート」は、本願発明の「コンテンツ・アイテム」、「テンプレート」に相当する。
　また、引用発明１の「発信者のブラウザ」と、本願発明の「ユーザ・コンピュータ」は、共に「ユーザ・機器」の点で共通する。
　したがって、引用発明１の「コンピュータから構成された情報供給システム１において、発信者が指定した入力画面テンプレートにより、発信者のブラウザ２に情報源データの入力ページを表示させて必要十分な情報入力を行わせ、当該情報源データを受給者に供給するサービスをインターネットを介して行う方法において」と、
　本願発明の「コンテンツ管理システムにおいて、コンテンツ・アイテムに対してテンプレートを使用する方法であって、前記コンテンツ管理システムがセンタ・コンピュータに構築され、該センタ・コンピュータがネットワークを介してユーザ・コンピュータに接続されている方法において」は、
　「コンテンツ管理システムにおいて、コンテンツ・アイテムに対してテンプレートを使用する方法であって、前記コンテンツ管理システムがセンタ・コンピュータに構築され、該センタ・コンピュータがネットワークを介してユーザ・機器に接続されている方法において」の点で共通する。
　
・引用発明１の情報供給システム１は、「テンプレートデータベース１０２に、情報源データの配置などを決める出力画面テンプレートと、情報源データをシステムに登録する際の入力ページを構成するための入力画面テンプレートとを蓄積し、予めいくつかの入力画面テンプレートおよび出力画面テンプレートからなるテンプレートセットとセットＩＤとを情報源の種類（例えば業種）などに応じて定義」する。
　また、引用発明１の情報供給システム１は、「発信者によって選択されたテンプレートセットを検索し、これに含まれる各入力画面テンプレートの名前等を選択肢とした入力画面テンプレートの選択ページを、発信者のブラウザ２に送信して表示させ」、「選択された入力画面テンプレートをテンプレートデータベース１０２から選択し、当該入力画面テンプレートで構成した入力ページを発信者のブラウザ２に供給」する。
　したがって、引用発明１の情報供給システム１は、テンプレートデータベース１０２に、複数の入力画面テンプレートを蓄積しており、その入力画面テンプレートを発信者に提供する段階を有するといえる。
　したがって、引用発明１の上記段階は、本願発明の「前記センタ・コンピュータのテンプレート提供手段が、複数のコンテンツ・オーサリング・テンプレートをユーザに提供する段階」に相当する。
　
・引用発明１は、テンプレートセットを「情報源の種類（例えば業種）などに応じて定義」する。上記「情報源の種類」は、本願発明の「コンテンツ・タイプ」に相当する。
　したがって、引用発明１の「発信者のブラウザ２は、いくつかのテンプレートセット名を選択肢として含んだテンプレートセットの選択ぺージを表示し、その選択結果を情報供給システム１へ送信し」と、
　本願発明の「前記ユーザ・コンピュータの入力手段が、前記コンテンツ・アイテムをコンテンツ・タイプとして類別し、入力する段階」は、
　「前記ユーザ・機器の入力手段が、前記コンテンツ・アイテムをコンテンツ・タイプとして類別し、入力する段階」の点で共通する。
　
・引用発明１の「情報供給システム１は、発信者によって選択されたテンプレートセットを検索し、これに含まれる各入力画面テンプレートの名前等を選択肢とした入力画面テンプレートの選択ページを、発信者のブラウザ２に送信して表示させ」は、
　本願発明の「前記センタ・コンピュータの選択手段が、前記コンテンツ・タイプに基づいて、自動的に、前記複数のコンテンツ・オーサリング・テンプレートの中から必要とされるテンプレートの適切な集合を選択する段階」に相当する。
　
・引用発明１の「情報供給システム１は、発信者のブラウザ２から選択結果を受信すると、選択された入力画面テンプレートをテンプレートデータベース１０２から選択し、当該入力画面テンプレートで構成した入力ページを発信者のブラウザ２に供給し、情報源データを入力させ」は、
　本願発明の「前記センタ・コンピュータの提示手段が、自動的に、前記コンテンツ・アイテムについてユーザに記述させるために前記テンプレートの適切な集合をユーザに提示する段階」に相当する。
　
・引用発明１の情報供給システム１は、発信者のブラウザから情報源データを受信し、その情報源データを受給者のブラウザに表示させるから、情報供給システムの処理手段が、発信者のブラウザから受信した情報源データを、受給者のブラウザに表示させる段階を有するといえる。
　したがって、引用発明の上記段階と、本願発明の「前記コンテンツ管理システムの確保手段が、前記コンテンツ・アイテムを発行する際の完成度を確保する段階」は、
　「前記コンテンツ管理システムの処理手段が、前記コンテンツ・アイテムを発行する段階」の点で共通する。
　
　したがって、本願発明と引用発明１とは、次の点で一致する。
　
＜一致点＞
「コンテンツ管理システムにおいて、コンテンツ・アイテムに対してテンプレートを使用する方法であって、前記コンテンツ管理システムがセンタ・コンピュータに構築され、該センタ・コンピュータがネットワークを介してユーザ・機器に接続されている方法において、
　前記センタ・コンピュータのテンプレート提供手段が、複数のコンテンツ・オーサリング・テンプレートをユーザに提供する段階と、
　前記ユーザ・機器の入力手段が、前記コンテンツ・アイテムをコンテンツ・タイプとして類別し、入力する段階と、
　前記センタ・コンピュータの選択手段が、前記コンテンツ・タイプに基づいて、自動的に、前記複数のコンテンツ・オーサリング・テンプレートの中から必要とされるテンプレートの適切な集合を選択する段階と、
　前記センタ・コンピュータの提示手段が、自動的に、前記コンテンツ・アイテムについてユーザに記述させるために前記テンプレートの適切な集合をユーザに提示する段階と、
　前記コンテンツ管理システムの処理手段が、前記コンテンツ・アイテムを発行する段階とから成る方法。」
　
　そして、本願発明と引用発明１とは、次の点で相違する。
　
＜相違点１＞
　「ユーザ・機器」が、本願発明では「ユーザ・コンピュータ」であるのに対し、引用発明１では、コンピュータであるかどうか不明である点。
　
＜相違点２＞
　「前記コンテンツ管理システムの処理手段が、前記コンテンツ・アイテムを発行する段階」が、
　本願発明では、「前記コンテンツ管理システムの確保手段が、前記コンテンツ・アイテムを発行する際の完成度を確保する段階」であり、
　「前記完成度を確保する段階は、
　前記確保手段の第１の受取り手段が、ユーザから、前記テンプレートの適切な集合における各テンプレートに対するコンテンツを受け取ることと、
　前記確保手段の決定手段が、その受け取ったコンテンツの全ての各構成要素が承認されたか否かを決定することと、
　前記確保手段の禁止手段が、前記コンテンツの全ての各構成要素が承認されるまで前記コンテンツ管理システムにおける発行を禁止することと、
　前記確保手段の第２の受取り手段が、前記コンテンツの全ての各構成要素が承認された後に発行者から発行要求を受け取ることと、
　前記確保手段の発行手段が、前記コンテンツの全ての各構成要素及び対応する前記テンプレートの適切な集合から得られた情報を、前記発行者による更なる干渉なしに、自動的に発行することとを含む」のに対し、
　引用発明１では、情報供給システム１が、発信者のブラウザから情報源データを受信し、その情報源データを受給者のブラウザに表示させる段階であり、「確保手段」が「完成度を確保する段階」ではない点。
　
第５　判断
　
＜相違点１＞について
　
　ブラウザの機能を有した機器として、コンピュータは周知である。
　したがって、引用発明１の「発信者のブラウザ」を、「ユーザ・コンピュータ」とすることは容易に想到し得ることである。
　
＜相違点２＞について
　
　引用発明２は、文書作成管理システムが文書を公開する際に、管理者が、文書について修正の要否を判断し、修正を要しないと判断した場合に、文書作成管理システムに対して公開を指示するから、コンテンツ管理システムの確保手段が、コンテンツ・アイテムを発行する際の完成度を確保する段階を有するといえる。
　引用発明２において、管理者が文書の修正を要しないと判断した場合に、文書作成管理サーバに文書の更新を不可にするよう指示することは、管理者が文書を承認し、承認済み文書の更新を不可にすることと解される。また、管理者が文書の修正の要否を判断する際に、文書のすべての各構成要素を対象としてその要否を判断することは明らかである。したがって、文書作成管理サーバが、管理者から上記指示の受信することは、「受け取ったコンテンツのすべての各構成要素が承認されたか否かを決定すること」といえる。
　また、管理者が文書の修正を要しないと判断して、文書の更新を不可にするよう指示し、さらに、文書を文書公開サーバに対して送信するように指示した場合に、文書公開サーバは文書を公開する。したがって、管理者が文書を承認するまで、文書が公開されないことは明らかである。このことは、「前記コンテンツの全ての各構成要素が承認されるまで前記コンテンツ管理システムにおける発行を禁止すること」といえる。
　また、文書が文書公開サーバに送信されると、文書公開サーバはその文書を公開するから、管理者が、文書作成管理サーバに対して、文書を文書公開サーバに送信するように指示することは、発行者からの発行要求といえる。したがって、文書作成管理サーバが上記指示を受信することは、「前記コンテンツの全ての各構成要素が承認された後に発行者から発行要求を受け取ること」といえる。
　引用発明１と引用発明２は、いずれも、コンテンツ管理システムが、ユーザから入力されたコンテンツ・アイテムを発行する方法である点で共通し、また、引用発明１においても、完成度の低い情報源データを受給者に発行すれば、種々の問題が生じることは当然であるから、引用発明２を適用して、情報供給システム１が情報源データを発行する際に、情報源データの完成度を確保することは格別困難ではない。
　さらに、テンプレートを用いてコンテンツを作成する際に、テンプレートに入力されたコンテンツの各構成要素と、テンプレートから得られた情報とを用いて作成することは周知である。したがって、引用発明１において、入力画面テンプレートに入力された情報源データだけでなく、入力画面テンプレートから得られた情報をも用いて情報源ページを作成し、受給者に供給することも格別困難ではない。
　
　してみると、引用発明１において、受給者に供給される情報源データの完成度を確保するために、引用発明２を適用して、
　引用発明１の情報供給システムが、情報源データを受給者のブラウザに表示させる段階を、「前記コンテンツ管理システムの確保手段が、前記コンテンツ・アイテムを発行する際の完成度を確保する段階」とし、
　情報供給システムが、発信者から、入力画面テンプレートに入力された情報源データを受信することを、「前記確保手段の第１の受取り手段が、ユーザから、前記テンプレートの適切な集合における各テンプレートに対するコンテンツを受け取ること」とし、
　管理者が、情報供給システムに入力された情報源データの修正の要否を判断し、修正を要しない場合に、情報供給システムが、管理者から情報源データの更新を不可にする指示を受信して、これを「前記確保手段の決定手段が、その受け取ったコンテンツの全ての各構成要素が承認されたか否かを決定すること」とし、
　情報供給システムが、上記指示を受信するまで、情報源データを受給者のブラウザに表示させないようにして、これを「前記確保手段の禁止手段が、前記コンテンツの全ての各構成要素が承認されるまで前記コンテンツ管理システムにおける発行を禁止すること」とし、
　情報供給システムが、情報源データの修正を要しないと判断された場合に、管理者から発行要求を受け取ることを、「前記確保手段の第２の受取り手段が、前記コンテンツの全ての各構成要素が承認された後に発行者から発行要求を受け取ること」とし、
　情報供給システムが、受給者のブラウザから情報源ページの表示要求を受信した場合に、発信者により入力されたすべての情報源データと、入力画面テンプレートから得られた情報とを情報源ページに配置して、受給者のブラウザに表示させることを、「前記確保手段の発行手段が、前記コンテンツの全ての各構成要素及び対応する前記テンプレートの適切な集合から得られた情報を、前記発行者による更なる干渉なしに、自動的に発行すること」として、
　引用発明１が、上記相違点２に係る本願発明の構成を備えるようにすることは容易に想到し得ることである。
　
　そして、本願発明の作用効果も、引用発明１、引用発明２、及び、周知技術から当業者が予測できる範囲のものである。
　
第６　むすび
　
　以上のとおり、本願発明は、引用発明１、引用発明２、及び、周知技術に基づいて、当業者が容易に発明をすることができたものであるから、特許法第２９条第２項の規定により特許を受けることができない。 
　したがって、本願は、他の請求項について検討するまでもなく、拒絶されるべきものである。  
　よって、結論のとおり審決する。